(57)【特許請求の範囲】
【請求項１】
複数種類の記憶媒体または画像信号発生源の画像データ供給媒体のうち指定された複数の異なる画像データ供給媒体からそれぞれ指定された異なる画像データを読取る画像データ読取手段，
上記画像データ読取手段により読取られた，第１の画像を表わす第１の画像データを入力し，上記第１の画像表示のための表示再生処理を行ない出力する画像表示処理手段，および
上記画像データ読取手段により読取られた，上記第１の画像と異なる第２の画像を表わす第２の画像データを入力し，上記第２の画像を印刷するための印刷処理を行ない出力する画像印刷処理手段，
を備えた画像データ入出力装置。
【請求項２】
キャラクタを表わすキャラクタ・データを発生するキャラクタ・データ発生手段を備え，
上記画像表示処理手段および上記画像印刷処理手段の少なくとも一方が，
入力する上記第１の画像データおよび上記第２の画像データのうち少なくとも一方に上記キャラクタ・データ発生手段によって発生したキャラクタ・データを合成し上記キャラクタ・データによって表わされるキャラクタを一部に含む画像を表わす上記第１の画像データおよび上記第２の画像データの少なくとも一方の画像データを出力するものである，  請求項１に記載の画像データ入出力装置。
【請求項３】
上記画像表示処理手段が，
上記画像データ読取手段から与えられる複数の画像を表わす画像データを入力し，入力した画像データから複数の画像を含むマルチ画像を表わすマルチ画像データを生成し，生成されたマルチ画像データを表示装置に与えることにより上記表示装置にマルチ画像を表示させるものであり，
上記画像データ読取手段が，
上記表示装置に表示されたマルチ画面を構成する画像が指定されることにより，指定された画像に対応する画像データを上記画像データ供給媒体から読取り，上記画像印刷処理手段に与え上記印刷処理を行なうものである，
請求項１に記載の画像データ入出力装置。
【請求項４】
複数種類の記憶媒体または画像信号発生源の画像データ供給媒体のうち指定された複数の異なる画像データ供給媒体からそれぞれ指定された異なる画像データを読取り，
上記読取られた，第１の画像を表わす第１の画像データを得，上記第１の画像表示のための表示再生処理を行ない出力し，
上記読取られた，上記第１の画像と異なる第２の画像を表わす第２の画像データを得，上記第２の画像を印刷するための印刷処理を行ない出力する，
画像データ入出力方法。
【請求項５】
キャラクタを表わすキャラクタ・データを発生し，
上記画像表示処理および上記画像印刷処理の少なくとも一方が，
入力する上記第１の画像データおよび上記第２の画像データのうち少なくとも一方に上記キャラクタ・データ発生処理によって発生したキャラクタ・データを合成し上記キャラクタ・データによって表わされるキャラクタを一部に含む画像を表わす上記第１の画像データおよび上記第２の画像データの少なくとも一方の画像データを出力するものである，  請求項４に記載の画像データ入出力方法。
【請求項６】
上記画像表示処理が，
上記画像データ読取処理により得られる，複数の画像を表わす画像データを入力し，入力した画像データから複数の画像を含むマルチ画像を表わすマルチ画像データを生成し，生成されたマルチ画像データを表示装置に与えることにより上記表示装置にマルチ画像を表示させるものであり，
上記画像データ読取処理が，
上記表示装置に表示されたマルチ画面を構成する画像が指定されることにより，指定された画像に対応する画像データを上記画像データ供給媒体から読取り，上記画像印刷処理を行なうものである，
請求項４に記載の画像データ入出力方法。
【発明の詳細な説明】
【０００１】
【技術分野】
この発明は，メモリ・カード，光ディスクなどの記憶媒体，ディジタル電子スチル・カメラなどの画像信号発生源等の画像データ供給媒体から与えられる画像データを読取り，モニタ表示装置に与え画像を表示し，かつ印刷装置に与え印刷する画像データ入出力装置および方法に関する。
【０００２】
【発明の背景】
画像を目で見える状態で再生する装置として表示装置，印刷装置などがある。メモリ・カード，光ディスク，ディジタル電子スチル・カメラなどから得られるディジタル画像データを画像入出力装置に入力し，画像表示のための処理，印刷のための処理を行ない，表示装置，印刷装置などに与えることにより画像表示，印刷などが行なわれる。画像入出力装置には表示装置または印刷装置のいずれか一方のみを接続できる装置が多い。このような画像入出力装置では印刷する前に画像を確認するためには，画像入出力装置に表示装置を接続し，印刷する画像を表示装置に表示し，表示装置を画像入出力装置から取外し，画像入出力装置に印刷装置を接続し印刷する必要がある。このような煩雑さを避けるために表示装置と印刷装置との両方の装置を同時に接続することができる画像入出力装置もある。このような画像入出力装置では，表示装置，印刷装置を画像入出力装置から取外すことなく印刷する画像を表示装置に表示して確認することができる。
【０００３】
しかしながら，表示装置と印刷装置とを同時に接続することができる画像入出力装置であっても，表示装置と印刷装置とに同時に与えられる画像データは同一画像を表わすものでなければならない。このため表示装置に表示されている画像と異なる画像を，印刷装置を用いて印刷することはできず便利さに難点があった。
【０００４】
【発明の開示】
この発明は，表示装置における画像表示と印刷装置における印刷とを同時に行なう場合に画像を表示するために表示装置に与える画像データによって表わされる画像と異なる画像を表わす画像データを印刷装置に与え印刷することができるようにすることを目的とする。
【０００５】
この発明による画像データ入出力装置は，記憶媒体または画像信号発生源の画像データ供給媒体から与えられる画像データを読取る画像データ読取手段，上記画像データ読取手段により読取られた，第１の画像を表わす第１の画像データを入力し，上記第１の画像表示のための表示再生処理を行ない出力する画像表示処理手段，および上記画像データ読取手段により読取られた，上記第１の画像と異なる第２の画像を表わす第２の画像データを入力し，上記第２の画像を印刷するための印刷処理を行ない出力する画像印刷処理手段を備えていることを特徴とする。
【０００６】
この発明は上記画像データ入出力装置に適した方法も提供している。すなわち，記憶媒体または画像信号発生源の画像データ供給媒体から与えられる画像データを読取り，上記読取られた，第１の画像を表わす第１の画像データを得，上記第１の画像表示のための表示再生処理を行ない出力し，上記読取られた，上記第１の画像と異なる第２の画像を表わす第２の画像データを得，上記第２の画像を印刷するための印刷処理を行ない出力することを特徴とする。
【０００７】
この発明によると，記憶媒体または画像信号発生源の画像データ供給媒体から第１の画像を表わす第１の画像データと，第１の画像と異なる第２の画像を表わす第２の画像データとが読取られる。上記第１の画像データについては画像表示のための画像表示処理が行なわれ，上記第２の画像データについては画像の印刷のための画像印刷処理が行なわれる。画像表示処理が行なわれた上記第１の画像データは表示装置に与えられ，第１の画像が表示される。画像印刷処理が行なわれた上記第２の画像データは印刷装置に与えられ，第２の画像が印刷される。
【０００８】
表示装置に表示されている画像と異なる画像を，印刷装置において印刷することができる。印刷装置において画像を印刷しているときに，次に印刷する画像を表示装置に表示することができ，効率良く画像の印刷およびその画像の印刷前の確認をすることができる。とくに，フレーム・メモリを内蔵しない安価な印刷装置に対して有効となる。
【０００９】
キャラクタを表わすキャラクタ・データを発生し，上記画像表示処理および上記画像印刷処理の少なくとも一方が，入力する上記第１の画像データおよび上記第２の画像データのうち少なくとも一方に上記キャラクタ・データ発生処理によって発生したキャラクタ・データを合成し上記キャラクタ・データによって表わされるキャラクタを一部に含む画像を表わす上記第１の画像データおよび上記第２の画像データの少なくとも一方の画像データを出力することが好ましい。
【００１０】
これによりキャラクタが合成された画像を表示することも印刷することも可能となる。またユーザの好みに応じてキャラクタが合成された画像の表示または印刷のいずれか一方を行なうことも可能となる。
【００１１】
上記画像データ読取処理は，上記記憶媒体および上記画像信号発生源のうち異なる上記画像データ供給媒体から上記第１の画像データと上記第２の画像データとを読取るものでもよい。
【００１２】
上記画像表示処理を，上記画像データ読取処理により得られる，複数の画像を表わす画像データを入力し，入力した画像データから複数の画像を含むマルチ画像を表わすマルチ画像データを生成し，生成されたマルチ画像データを表示装置に与えることにより上記表示装置にマルチ画像を表示させるものとし，上記画像データ読取処理を，上記表示装置に表示されたマルチ画面を構成する画像が指定されることにより，指定された画像に対応する画像データを上記画像データ供給媒体から読取り，上記画像印刷処理を行なうものとしてもよい。
【００１３】
表示装置には複数の画像を含むマルチ画像が表示されるので，印刷すべき画像の選択が比較的容易となる。マルチ画像の中から選択された画像が印刷される。マルチ画像を構成する画像は縮小画像であってもよい。
【００１４】
【実施例の説明】
図１は画像データ入出力装置の電気的構成を示すブロック図である。
【００１５】
図１に示す画像データ入出力装置６は，モニタ表示装置４とビデオ・プリンタ５とを接続することができる。モニタ表示装置４に画像を表示しながら，モニタ表示装置４に表示されている画像と異なる画像をビデオ・プリンタ５において印刷することができる。
【００１６】
画像データ入出力装置６の全体の動作はＣＰＵ12によって統括される。
【００１７】
画像データ入出力装置６に接続可能な画像信号発生源としてディジタル電子スチル・カメラ１，記憶媒体としてメモリ・カード２および光ディスク３が例示されている。この他に記憶媒体として磁気ディスク，パーソナル・コンピュータの内部メモリまたは外部メモリ等を挙げることができる。
【００１８】
画像データ入出力装置６にはディジタル電子スチル・カメラ１を接続するためのコネクタ10，メモリ・カード２を装着かつ接続するためのコネクタ20，および光ディスク３に記録されたデータを読取るための光ディスク・ドライバ30が設けられている。
【００１９】
ディジタル電子スチル・カメラ１からは輝度データＹならびにＲ−ＹおよびＢ−Ｙの色差データＣが出力され，コネクタ10およびカメラ・インターフェイス回路11を介してメモリ・コントローラ13に与えられる。メモリ・コントローラ13に与えられた輝度データＹおよび色差データＣはＹ／Ｃデータ用ＤＲＡＭ14に与えられ一旦記憶される。
【００２０】
画像データ入出力装置６にメモリ・カード２が装着された場合には，メモリ・カード２に記憶されている画像データが読出され，コネクタ20およびカード・インターフェイス回路21を介して圧縮／伸張処理回路22に与えられる。画像データ入出力装置６に光ディスク３が装着された場合には，光ディスク３に記憶されている画像データが光ディスク・ドライバ30によって読出されＳＣＳＩ（Small Computer system interface ）コントローラ31によって圧縮伸張処理回路22に与えられる。
【００２１】
メモリ・カード２および光ディスク３には輝度データＹおよび色差データＣがデータ圧縮されて記憶されている。このため，メモリ・カード２および光ディスク３から読出された輝度データＹおよび色差データＣは圧縮／伸張回路22においてデータ伸張処理が施される。圧縮／伸張処理回路22においてデータ伸張された輝度データＹおよび色差データＣはメモリ・コントローラ13を介してＹ／Ｃデータ用ＤＲＡＭ14に与えられ一旦記憶される。
【００２２】
モニタ表示装置４における画像表示およびビデオ・プリンタ５における画像の印刷を行なう場合には，Ｙ／Ｃデータ用ＤＲＡＭ14に記憶されている輝度データＹおよび色差データＣが読出される。
【００２３】
モニタ表示装置４において画像を表示する場合には，Ｙ／Ｃデータ用ＤＲＡＭ14から読出された輝度データＹおよび色差データＣはＹ／Ｃ−ＲＧＢ変換回路40に与えられる。Ｙ／Ｃ−ＲＧＢ変換回路40において輝度データＹおよび色差データＣが三原色データＲＧＢに変換されて出力される。
【００２４】
画像データ入出力装置６にはモニタ表示装置４における画像の表示を制御するための画像処理用ＣＰＵ44が含まれている。画像処理用ＣＰＵ44によってメモリ・コントローラ41および画像表示用ＶＲＡＭ43が制御され，モニタ表示装置４における画像表示が制御される。
【００２５】
Ｙ／Ｃ−ＲＧＢ変換回路40から出力される三原色データＲＧＢはメモリ・コントローラ41を介してＲＧＢデータ用ＤＲＡＭ42に与えられ一旦記憶される。ＲＧＢデータ用ＤＲＡＭ42に記憶された三原色データＲＧＢは読出され画面表示用ＶＲＡＭ43に与えられる。三原色データＲＧＢは画面表示用ＶＲＡＭ43からディジタル／アナログ変換回路（ＩＣで構成される）45に与えられ，アナログ映像信号に変換されて出力される。ディジタル／アナログ変換回路45において変換されたアナログ映像信号はコネクタ46を介してモニタ表示装置４に与えられ，モニタ表示装置４の表示画面上に画像が表示される。
【００２６】
ＲＧＢデータ用ＤＲＡＭ42は１駒分の三原色データＲＧＢを記憶できる容量をもっており，この実施例ではＲＧＢデータ用ＤＲＡＭ42は1280×1024画素分の三原色データＲＧＢを記憶できる。
【００２７】
画像データ入出力装置６に接続されているモニタ表示装置４は高精細モニタ表示装置である。このため画面表示用ＶＲＡＭ43は1280×1024画素分の三原色ＲＧＢ（モニタ表示装置４の一画面分の画像データ）を記憶できる容量をもつ。
【００２８】
ビデオ・プリンタ５において画像を印刷する場合には，Ｙ／Ｃデータ用ＤＲＡＭ14から読出された輝度データＹおよび色差データＣはディジタル／アナログ変換回路50に与えられ，アナログ輝度信号Ｙおよびアナログ色差信号Ｃに変換され出力される。ディジタル／アナログ変換回路50から出力される輝度信号Ｙおよび色差信号Ｃはキャラクタ・ジェネレータ51に与えられる。キャラクタ・ジェネレータ51において文字，記号等のキャラクタを表わす映像信号が発生し，ディジタル／アナログ変換回路50から与えられる輝度信号Ｙおよび色差信号Ｃと合成される。これによりキャラクタ・ジェネレータ51において画像中にキャラクタが合成された画像を表わす輝度信号Ｙおよび色差信号Ｃが得られ出力される。
【００２９】
キャラクタ・ジェネレータ51から出力される輝度信号Ｙおよび色差信号Ｃはエンコーダ52に与えられ，ＮＴＳＣフォーマットのＮＴＳＣ映像信号に変換される。ＮＴＳＣエンコーダ52において入力する輝度信号Ｙおよび色差信号ＣからＮＴＳＣ映像信号が生成される。このＮＴＳＣ映像信号はコネクタ53を介してビデオ・プリンタ５に与えられ，ＮＴＳＣ映像信号によって表わされる画像が印刷される。
【００３０】
操作ユニット７はディジタル電子スチル・カメラ１，メモリ・カード２または光ディスク３のいずれかを選択するキー，これらの記憶媒体等に記憶された複数駒の画像データのうち所望のものを指定するキー，マルチ画面の構成を選択するキー，モニタ表示装置４による表示を指定するキー，ビデオ・プリンタ５による印刷を指定するキー，その他の画像データ入出力装置６に所望の動作をさせるための指令キーを含んでいる。操作ユニット７はコネクタ18を介してＣＰＵ12と接続されている。ＣＰＵ12は操作ユニット７からの指令に応答してカメラ１との交信，メモリ・カード２のアクセス，光ディスク・ドライバ30の制御等を行う。また，後述するマルチ画面の構成，表示制御等を行なう。
【００３１】
つづいて高精細モニタ表示装置４においてマルチ画面を表示する方法について述べる。
【００３２】
複数種類の画像データ発生源または記憶媒体から読出された複数駒分の画像データを表示装置４の表示画面に一挙に表示するためにマルチ画面が構成される。マルチ画面の構成例が図２(A) に示されている。画面は２×２，４×４，６×７のように分割される。示されている１〜４の番号は分割された区画を表わす番号である。このような画面構成に応じて画像データの縮小率が定まる。マルチ画面を構成するための画像データは画面表示用ＶＲＡＭ43において作成される。
【００３３】
ＲＧＢデータ用ＤＲＡＭ42に格納された画像データは1280×1024画素から構成され，画面表示用ＶＲＡＭ43は1280×1024画素分の画像データを記憶するから２×２のマルチ画面の場合画像データの縮小処理が必要となる。この場合には横，縦ともに１／２に縮小される。画像の縮小処理はたとえば間引き処理により行なわれる。図３に示すように，横，縦方向に１ずつ画像データを間引くことにより縮小率１／２の縮小画像データが得られる。この他に縮小画像として平均化処理がある。これは原画像において隣接する４画素の画像データの平均値を算出して，この平均値を縮小画像における１画素の画像データとするものである（縮小率１／２の場合）。画像データがＲＧＢデータ用ＤＲＡＭ42から読出され，マルチ画面を構成する分割区画の位置に応じて画面表示用ＶＲＡＭ43に格納される。たとえば，図２(A) に示す区画２に画像を表示するときには，その画像を表わす画像データは画面表示用ＶＲＡＭ43において，ＲＧＢデータ用ＤＲＡＭ42から読出されたときにこの区画２に表示されるアドレスに記憶されることになる。
【００３４】
マルチ画面構成が４×４の場合にもＲＧＢデータ用ＤＲＡＭ42に記憶されたデータによって表わされる画像の縮小が必要である。この場合には横，縦ともに１／４に縮小される。画像の縮小処理はたとえば間引き処理により行なわれる。図３に示すように，横，縦方向に１ずつ画像データを間引くことにより縮小率１／４の縮小画像データが得られる。
【００３５】
いずれにしても，ＲＧＢデータ用ＤＲＡＭ42から画面表示用ＶＲＡＭ43への画像データの転送（マルチ画面を構成するようにアドレスを定めることを含む）および画像縮小処理は画像処理用ＣＰＵ44によって実行される。
【００３６】
次にモニタ表示装置４に画像を表示しながら，この表示画像と異なる画像をビデオ・プリンタ５によって印刷する場合の処理について述べる。
【００３７】
ディジタル電子スチル・カメラ１，メモリ・カード２および光ディスク３のうちのどれから画像データを得るか，何駒めの画像データかが，操作ユニット７により選択される。操作ユニット７により選択された駒の画像データはＹ／Ｃデータ用ＤＲＡＭ14に一旦記憶される。操作ユニット７によりマルチ画面表示が指定されると，マルチ画面を構成する画像の駒番号も操作ユニット７により指定される。マルチ画面を構成する画像の駒番号が指定されると，その駒番号に対応する画像の画像データがディジタル電子スチル・カメラ１，メモリ・カード２または光ディスク３のうち指定された媒体から順次読出され，メモリ・コントローラ13，ＤＲＡＭ14，Ｙ／Ｃ−ＲＧＢ変換回路40，メモリ・コントローラ41，ＤＲＡＭ42などを介して画面表示用ＶＲＡＭ43に与えられ順次記憶される。マルチ画面を構成する画像データは画面表示用ＶＲＭＡ43から読出されディジタル／アナログ変換回路45においてアナログ信号に変換されてモニタ表示装置４に与えられる。これにより，モニタ表示装置４に図２(B) に示すようなマルチ画面が表示される。図２(B) にはマルチ画面を構成する各画像の右下隅に駒番号も表示されている。
【００３８】
ユーザはモニタ表示装置４に表示されたマルチ画面を見て，ビデオ・プリンタ５から印刷したい画像があるときには，操作ユニット７により印刷指令を与えるとともに印刷すべき画像の駒番号を指定する指令を画像データ入出力装置６に与える。駒番号が指定されるとその駒番号によって特定される画像を表わす画像データが，ディジタル電子スチル・カメラ１，メモリ・カード２または光ディスク３から読出されＹ／Ｃデータ用ＤＲＡＭ14に記憶される。Ｙ／Ｃデータ用ＤＲＡＭ14に記憶された画像データは読出されディジタル／アナログ変換回路50，キャラクタ・ジェネレータ51およびＮＴＳＣエンコーダ52を介してＮＴＳＣ映像信号としてビデオ・プリンタ５に与えられる。これによりモニタ表示装置４にはマルチ画像を表示しながら，そのマルチ画像を構成する画像をビデオ・プリンタ５により印刷することができる。たとえばモニタ表示装置４に図２(B) に示すマルチ画面が表示されている場合にユーザによって印刷すべき画像として駒番号「２」が選択されると，この駒番号「２」によって特定される画像がビデオ・プリンタ５によって印刷される。ビデオ・プリンタ５から印刷された画像の一例が図４に示されている。図４に示す印刷画像にはその下部の領域Ａ1 にキャラクタ・ジェネレータ51によって発生した文字も一緒に印刷されている。もちろん文字でなく絵や記号を画像中の所望の部分に含ませることも可能である。これらの文字，絵，記号の指定印刷位置の指定は操作ユニット７により行なわれる。
【００３９】
上述の説明においては，モニタ表示装置４にマルチ画面を表示し，マルチ画面を構成する１画像をビデオ・プリンタ５を用いて印刷しているが，モニタ表示装置４にマルチ画面を表示しなくともモニタ表示装置４に表示された画像と異なる画像をビデオ・プリンタ５から印刷してもよい。
【００４０】
またモニタ表示装置４に表示される画像を表わす画像データと，ビデオ・プリンタ５から印刷される画像を表わす画像データとは，ディジタル電子スチル・カメラ１，メモリ・カード２および光ディスク３のうち同一の媒体から得られるものでなくともよい。たとえばモニタ表示装置４に表示される画像を表わす画像データはディジタル電子スチル・カメラ１から得，ビデオ・プリンタ５から印刷される画像を表わす画像データはメモリ・カード２から得るようにしてもよい。いずれにしてもビデオ・プリンタ５における印刷中に，次に印刷する画像を検索でき効率良く画像を印刷することが可能となる。
【００４１】
さらに上述の実施例ではキャラクタ・ジェネレータ51を設け，印刷されたプリント画像中に所望の文字，絵等を入れているが，必ずしもキャラクタ・ジェネレータを設ける必要はない。またモニタ表示装置４に表示される画像にキャラクタを合成して表示するようにしてもよい。この場合には，ディジタル／アナログ変換回路45とコネクタ46との間にキャラクタ・ジェネレータを接続することとなろう。
【図面の簡単な説明】
【図１】画像データ入出力装置の電気的構成を示すブロック図である。
【図２】媒体から読出された画像データをマルチ画面構成で再生する処理を表わし，(A) は設定された画面構成にしたがいモニタ表示画面が複数区画に分割された状態を，(B) は媒体から読出された複数の画像が同一画面上に表示された状態をそれぞれ示す。
【図３】画像データの縮小（間引き）処理を表わしている。
【図４】印刷されたプリント画像の一例を示している。
【符号の説明】
１  ディジタル電子スチル・カメラ
２  メモリ・カード
３  光ディスク
４  モニタ表示装置
５  ビデオ・プリンタ
６  画像データ入出力装置
11  カメラ・インターフェイス回路
12  ＣＰＵ
21  カード・インターフェイス回路
30  光ディスク・ドライバ
31  ＳＣＳＩコントローラ
40  Ｙ／Ｃ−ＲＧＢ変換回路
44  画像処理用ＣＰＵ
45，50  ディジタル／アナログ変換回路
52  ＮＴＳＣエンコーダ
【図１】
0003643416.tif 000002
【図２】
0003643416.tif 000003
【図３】
0003643416.tif 000004
【図４】
0003643416.tif 000005